(57)【要約】【解決課題】遊技盤の背面に付設するセット板を機種によって変更される中継端子基板に拘束されることなく共用可能にして製造並びに管理を容易にする。【解決手段】板状のセット板（１）の背面部に大型の中継端子基板（１５）を基準に設定する基準取付部（１６）を設け、この基準取付部の中に小型の中継端子基板（２７，２８）取付ける補助取付部（２５，２６）を一体に形成し、大小異なる中継端子基板を選択的に取付けられるようにする。【選択図】    図３
2004180757.tif 000002
【特許請求の範囲】
【請求項１】
セット板の背面部の適所に大型の中継端子基板の縁部に対応させて複数個の取付突起を所要の間隔をおいて立設し基準取付部を形成する一方、該基準取付部の前記取付突起の中間位置に１若しくは複数個の補助取付突起を立設し、前記取付突起の一部と前記補助取付突起との間に小型の中継端子基板を掛け渡し止着可能にする補助取付部を形成してなることを特徴としたパチンコ機のセット板。
【請求項２】
請求項１の記載において、基準取付部は大型中継端子基板の４隅部に各対応した４つの取付突起から構成し、該取付突起相互の内側に１乃至複数個の補助取付突起を立設して補助取付部を形成することを特徴としたパチンコ機のセット板。
【請求項３】
請求項１の記載において、基準取付部を構成する取付突起の１つは中継端子基板の一側縁部を嵌合する係止溝を備えた係止台であることを特徴としたパチンコ機のセット板。
【請求項４】
請求項３の記載において、基準取付部を構成する取付突起の１つを係止溝を備えた係止台とする一方、他の取付突起を前記係止台に対向する弾性係止片とし、中継端子基板の他側縁部を係脱自由に係止し、前記係止台と共働して狭持することを特徴としたパチンコ機のセット板。
【発明の詳細な説明】
【０００１】
【発明の属する技術分野】
本発明は、パチンコ機に装備される遊技盤の背面にあって遊技盤に備える入賞装置を通して送り込まれる入賞球を取り纏め集合させるセット板に関する。
【０００２】
【従来の技術】
セット板は、通常プラスチックを材料にして浅い箱形に形成してあり、遊技盤に備える全ての入賞口装置を背後から被い、この入賞口装置を通して送り込まれる入賞球を受け入れ一箇所に集めてこれを機外に放出する機能をもつ外、このセット板には背面に入賞口装置に電力を供給したり、信号を送受信するための配線を中継する中継端子基板が設けられる。
【０００３】
上記中継端子基板は入賞口装置に備える開閉翼片を作動するモータやソレノイド等の動力源に電力を供給する配線、装飾用、表示用乃至照明用ランプの配線、更には入賞球を検出する検出スイッチの信号や液晶表示画面を制御する信号を送受信する配線等を接続し、この中継端子基板を中継点にして制御回路基板や外部電源と接続するものであって、この中継端子基板はパチンコ機の機種毎にセット板と共にその規模、形状等が予め設計の上で決定されるものとなっている。
【０００４】
即ち、従来セット板とこれに組付けられる中継端子基板は機種の基本設計に基いて機種専用のものとして製造されるもので、セット板にはそのため特定する中継端子基板に適合した取付部が背面部に一体に設けられ、また中継端子基板にもこの取付部に合せてビスを通す透孔が開設されているのが普通である。
【０００５】
上記取付部は形状等を特定するものとはなっていないが、一般にはボス状に形成して基板の隅部を当接し、これに開設する透孔を通してビスを取付部の頂部にねじ付けてしっかり取付けるようにしている。
【０００６】
この様に従来のセット板は機種の設計に合せて遊技盤に対応する専用のものが製造されており、またこの専用のセット板に合せて中継端子基板が設計製造されるものとなっているが、この専用化は製造の面で、また部品の在庫管理の面で極めて不都合となっている。
【０００７】
【発明が解決しようとする課題】
従って、本発明は上記特定の機種に基いてその機種のためにだけ設計製造されるセット板と中継端子基板の関係にあって、セット板を改善することによって中継端子基板について設計に基づく変更を生じた場合にセット板においてこの変更を許容し、取付けを可能とした遊技盤に装着される改善されたセット板を提供しようとするものである。
【０００８】
前述したようにセット板、そして中継端子基板の専用化は組立の段階では予め両者の関係が定ることから作業上有利であるが、反面設計の変更によって一部の部品が交換されたとき、例えば遊技盤に取付ける入賞口装置を変更して作動の異なるものと変えられたとき、これに伴って入賞口装置の制御が変り、その配線系統が変ることから中継端子基板の端子の配置が変り、形状が変更されることになる。この変更が原因して他の部分に変更が加えられなくとも、この中継端子基板が変更することによってセット板に形成される取付部との位置関係が変ってしまい、これが原因してセット板の使用が出来なくなる問題があった。
【０００９】
【課題を解決するための手段】
本発明は、上記問題を解決するため開発されたもので、その目的とするところはセット板の背面部に設計上このセット板に取付ける中継端子基板のうちの最も大型の基板を対象とした基準取付部を形成し、この基準取付部の範囲内に上記大型の基板より小型の中継端子基板を取付けるための補助取付部を形成して、大小形状を異にする中継端子基板の組付けを可能にしたパチンコ機のセット板を提供せんとするものである。
【００１０】
更に詳述すれば、請求項１の記載に係る発明においては、セット板の背面部の適所に大型の中継端子基板の縁部に対応させて複数個の取付突起を所要の間隔をおいて立設し基準取付部を形成する一方、該基準取付部の前記取付突起の中間位置に１若しくは複数個の補助取付突起を立設し、前記取付突起の一部と前記補助取付突起との間に小型の中継端子板を掛け渡して止着可能にする補助取付部を形成することを特徴としたパチンコ機のセット板を提供することにある。
【００１１】
又、請求項２の記載に係る発明は、前記請求項１に記載の発明において、前記基準取付部は大型中継端子基板の４隅部に各対応した４つの取付突起から構成し、該取付突起相互の内側に１乃至複数の補助取付突起を立設して補助取付部を形成することを特徴としたパチンコ機のセット板を提供することにある。
【００１２】
又、請求項３の記載に係る発明は、前記基準取付部を構成する取付突起の１つは中継端子基板の一側縁部を嵌合する係止溝を備えた係止台であることを特徴としたパチンコ機のセット板を提供することにある。
【００１３】
更に請求項４の記載に係る発明は、前記基準取付部を構成する取付突起の１つを係止溝を備えた係止台とする一方、他の取付突起を前記係止台に対向する弾性係止片とし、中継端子基板の他側縁部を係脱自由に係止し、前記係止台と共働して狭持することを特徴としたパチンコ機のセット板を提供することにある。
次に、本発明に係るセット板を図示する実施例について説明し、その特徴とするところを明らかにする。
【００１４】
【発明の実施の形態】
【実施例１】
添付する図面の図１から図６は本発明に係るセット板の第１の実施例を示したものである。
図１はセット板が装着される遊技盤の概略を示した正面図であり、図２は遊技盤の背面に装着するセット板の正面図である。図面の符号１は遊技盤であり、２はセット板である。
【００１５】
ここに示す遊技盤１はパチンコ機に着脱自由に組付け、取り外せるようにした所謂分離式パチンコ機の遊技盤であって、図１に示すように前面部には円形をなすように打球を誘導するレール３を配置して中央部に遊技部４を形成している。この遊技部４には液晶表示画面５を備えた表示装置６、この表示装置６の作動を開始させる始動用入賞口装置７、そしてこの入賞口装置の左右に配置される普通入賞口装置８、８を備え、これらの入賞口装置の下方にあって開閉する扉９を備えた大入賞口装置１０、そして落下する打球の方向を変える複数の風車１１と上記入賞口装置７、８や大入賞口装置１０に入賞したとき点滅表示させる左右の表示ランプ１２、１２が設けられる。
【００１６】
また前記表示装置６の上部には天入賞口装置１３が設けてあり、前記大入口賞装置１０の下にはアウト球口１４が開設される。
図面には入賞口装置７、８、１３に臨む命釘ｎを除いてその他の障害釘を省略しているが、全面の適所には多数の障害釘が植設される。
【００１７】
この様に入賞口装置等各種の部品を備えた遊技盤１には図２に示したように背面部にセット板２が付設される。
このセット板２は前述したように遊技盤の前面に設ける入賞口装置に入賞し、遊技盤１に穿つ透孔を通して背面側に送られる入賞球の全てを受け入れ集合させる入賞球集合室を前面側に備えており、背面側には上記入賞口装置に備える入賞球の検出スイッチの配線、開閉扉の作動用ソレノイドの電源用配線、或は装飾用、照明用乃至表示用ランプの電源用配線を接続する中継端子基板１５を取付ける取付部１６が設けてある。
【００１８】
ここに示したセット板２は、図示するように基本的に従来実施されているものと共通した形状をなしており、前記入賞口装置７、８、１３の全てを背後から被う大きさのセット板主体部２ａを基板にしおり、その略中央部には前記表示装置６や入賞口装置の後部を貫き通す窓１７を開設している。
その一方、主体部２ａの前面側には外縁部に沿って外壁部１８を、そして上記窓１７に沿って内壁部１９を各起立し、これら両壁部の間に樋状の空間を形成して入賞球を受け入れる前記集合室を形成している。
【００１９】
上記集合室を形成することによってセット板２は全体の形状として主体部２ａを底部とする浅い箱形に形成されることになる。そして、前記中継端子基板１５を取付ける取付部１６はこの底部となる主体部２ａの背面側に設けられることになる。
【００２０】
前記中継端子基板１５は、セット板の外に設ける制御装置から引き込む配線と前記入賞口装置７、８、大入賞口装置１０、表示装置６、表示用ランプ１２等の配線とを接続する主たる中継端子基板であって、ここではこの外に主たる中継端子基板１５と入賞口装置７、８、大入賞口装置１０との間を中継するための従たる補助用の中継端子基板２０、２０が取付けてある。
【００２１】
図３乃至図６は本実施例における中継端子基板１５と取付部１６の関係を明らかにするため拡大して示したものであり、図３は主たる中継端子基板のうち、設計上予定する最大型の中継端子基板１５をこの中継端子基板のため設定した基準となる取付部１６に対して取付けた状態を示す拡大正面図であり、図４は図３の底面図である。
【００２２】
上記基準取付部１６は大型の中継端子基板１５の各コーナー部に開設するビス用の透孔２１に対応させてセット板主体部２ａから４個のボス形の取付突起２２を突設して形成してあり、中継端子基板１５の取付けは基板をこれら取付突起２２の上に載置し、透孔２１を通して突起の頂部にビス２３を揉み込むことによって行われる。従って、中継端子基板１５はコーナー部の４点で固定することによってしっかり取付けらることになる。
【００２３】
図中、２４は上記中継端子基板１５のコーナー部に対応させて各突設した前記４個の取付突起２２の中間位置に突設した補助取付突起である。この突起２４は前記取付突起２２と同様にセット板主体部２ａから一体に起立することによって形成される。
【００２４】
この補助取付突起２４は、前記基準取付部１６を構成する４個の取付突起２２と組合せることによって第２、第３の取付部となる補助取付部２５、２６を形成するものであり、図５、図６はこの補助取付部を図示したものである。
【００２５】
即ち、図５は基準取付部１６を構成する上方の２つの取付突起２２、２２と前記補助取付突起２４との組合せによって基準取付部１６の略２分の１の大きさになる補助取付部２５を形成した例であり、これを以て前記大型の中継端子基板１５の略半分の大きさに係る小型の中継端子基板２７を取付けることができる。
【００２６】
また図６は、図５と同一の配置によって左半部分に左上下の２つの取付突起２２、２２と、補助取付突起２４との組合せにより第２の補助取付部２６を形成したものであり、これに縦長長方形状の小型の中継端子基板２８を取付けた場合を示している。
【００２７】
尚、図５、図６はともに中継端子基板２７、２８を取付ける補助取付部２５、２６を設ける場合を示すが、このとき他方の空間は同様に補助取付部２５ａ、２６ａを形成するものとなる。従って、上記補助取付部２５、２６に取付けられる中継端子基板２７、２８は、この空所となる補助取付部２５ａ、２６ａに対しても取付けることが可能である。この結果、ここでは取付位置を上下に、又左右に選択することができることになる。
【００２８】
ところで、当該実施例では取付突起の内側に１個の補助取付突起２４を設ける場合について説明したが、内側には図３に一点鎖線を以て示したように更に複数個の補助取付突起２４ａを立設することによって異なる構成の補助取付部を多数形成し、異種の中継端子基板の取付を可能とすることができる。
【００２９】
【実施例２】
次に、図７乃至図１０は本発明に係るセット板の第２の実施例を示したものである。この実施例は、大型の中継端子基板２９を取付ける基準取付部３０を係止台３１と弾性係止片３２、及び取付突起３３によって構成する場合につき示したものである。
【００３０】
係止台３１はやゝ肉厚の壁状に形成してあり、セット板主体部２ａから起立して上端の近くに横向きに開口する係止溝３４を全長に亘って形成し、これに中継端子基板２９の一側縁を嵌め込むことによって支持できるようにしてある。
一方、弾性係止片３２は中継端子基板の幅に相当する間隔をおいてこの係止台３１に向き合うように起立し、上端に備える爪３２ａで中継端子基板２９の他方の縁部を係止し、止め付けるようにしてある。
【００３１】
上記弾性係止片３２は、ここでは間隔をおいて２個立設し、取付突起３３はこの係止片３２に近接させて前記係止台３１と並行し、且つ対立するように等間隔をおいて３個立設してある。
【００３２】
上記取付突起３３は、係止台３１に一側縁の下面を受けて支持する中継端子基板２９の他方の端部を受けてセット板主体部２ａとの間に間隔をおくようにして保持する。そして、この状態において係止片の爪３２ａを基板２９の縁に係止して安定した取付状態を得るようにしてあり、更にここでは頂部に小突起３５を突設し、中継端子基板２９に穿つ透孔３６に突き入れて該基板２９の横移動を確実に止めるようにしてある。
【００３３】
前記中継端子基板２９の取付けは、前述のように最初に基板の一方の縁を係止台３１の係止溝３４に嵌め付ける。その後他方の縁を取付突起３３上に降し、このとき係止片３２の爪３２ａに当接させて一旦図示するように弾性を利用して後退させ、その後この爪３２ａを基板２９の縁に掛け止めて取付けを行う。
勿論、上記中継端子基板２９の取り外しは、上記逆の手順によって行うことになる。この操作の繰り返しによって別の基板との交換も行われる。
【００３４】
図１０は、上記構成された基準取付部３０に対して小型の、つまり大型である中継端子基板２９の略半分の大きさの中継端子基板３７を取付けた場合を示したものである。
この例は中継端子基板３７が小型になることによって係止台３１と２つの取付突起３３、３３、そして１つの係止片３２のみを使って取付けられることを示したもので、結果的に基準取付部３０の中にこの様な小型の中継端子基板３７を取付ける補助取付部３８が形成されることを示している。
【００３５】
以上、本発明を図面に示す実施例について説明したが、前述の通りセット板２の背面に設けられる中継端子基板を取付けるための取付部１６は、セット板２の成形時に一体に形成されるものであり、しかもこの取付部１６はパチンコ機ごとの機種の決定に基づき定まる中継端子基板に対応させて設計されるものであることから、その形状、大きさ等全て予め確定するものとなる。このため、従来の場合には中継端子基板１５が変更されるとこれに伴って使用不能となり、他機種に転用することができないものとなるが、本発明では大型の中継端子基板１５を取付けるための基準取付部１６の中に小型の中継端子基板２７，２８を取付ける補助取付部２５，２６を設定するものとしたことからこの様に異種の中継端子基板２７，２８についての装着取付も可能となったのである。
【００３６】
しかも、本発明においては基準取付部１６を構成する取付突起２２を補助取付部２５，２６の一部に利用して兼用すると同時に、基準取付部１６の中に１若しくは複数の補助取付部２５，２６を形成し、セット板主体部２ａの同一部分を共用し、併存する状態で形成するものとしたことから他の部品等の取付空間を侵すことがなく、効率的に形成することができるものとなっている。
尚、補助取付突起は取付突起の内側に適宜分散して立設すれば、異なる複数の補助取付部を形成することが可能であり、従って形状の異なる各種の中継端子基板に対応してこれらの取付けに利用することが可能となる。
【００３７】
【発明の効果】
以上、本発明によればセット板の背面部に異種の中継端子基板を装着し取付けることのできる基準取付部と補助取付部とを一体に備えるものとしたことから、一種類のセット板において他機種に転用が可能であり、従ってこのセット板は従来のように機種毎に変更するのに伴って使用不能となることがない。よって、在庫管理が容易になると共に、型違いを理由にして廃棄処分されるような不都合がなくなり、これらによる問題が有効に回避されることになる。
【図面の簡単な説明】
【図１】遊技盤の正面図。
【図２】セット板の正面図。
【図３】基準取付部に中継端子基板を取付けた状態を説明する拡大正面図。
【図４】図３の底面図。
【図５】基準取付部の中に形成される補助取付部に小型の中継端子基板を取付けた状態を説明する拡大正面図。
【図６】基準取付部の中に異なる補助取付部を形成して小型の中継端子基板を取付けた状態を説明する拡大正面図。
【図７】第２の実施例における基準取付部を説明する拡大正面図。
【図８】図７の底面図。
【図９】第２の実施例における基準取付部の拡大斜視図。
【図１０】基準取付部の中に形成される補助取付部に小型の中継端子基板を取付けた状態を説明する拡大正面図である。
【符号の説明】
１                  遊技盤
２                  セット板
２ａ                セット板の主体部
１５、２９          大型の中継端子基板
１６、３０          基準取付部
２２、３３          取付突起
２４、２４ａ        補助取付突起
２５、２５ａ        補助取付部
２６、２６ａ        補助取付部
２７、２８          小型の中継端子基板
３１                取付突起たる係止台
３２                取付突起たる係止片
【図１】
2004180757.tif 000003
【図２】
2004180757.tif 000004
【図３】
2004180757.tif 000005
【図４】
2004180757.tif 000006
【図５】
2004180757.tif 000007
【図６】
2004180757.tif 000008
【図７】
2004180757.tif 000009
【図８】
2004180757.tif 000010
【図９】
2004180757.tif 000011
【図１０】
2004180757.tif 000012